(57)【要約】【課題】レンズホルダを摺動軸に沿って移動させる際、簡単な機構によりがたつきを防止することができる、ディスクドライブ装置を提供する。【解決手段】光ピックアップは、レンズホルダ４１と、レンズホルダ支持部３１とを有し、レンズホルダは、フォーカスコイル４５と、トラッキングコイル４６，４７と、フォーカスコイルを上下から挟むように配置された一対のニッケル板４３，４４とを備え、レンズホルダ支持部３１に、平面的に見て、レンズホルダを挟み、同じ極性の磁極を対向させて位置する、一対の永久磁石３３，３４を備え、摺動孔４２の側壁が摺動軸３２に押し当てられている。【選択図】        図３
2004164732.tif 000002
【特許請求の範囲】
【請求項１】
シャーシに取り付けられ、ディスクを装着して回転させるターンテーブルと、前記シャーシに固定されたガイド軸と、前記ガイド軸に回動自由に取り付けられ、前記ガイド軸に沿って移動する光ピックアップとを備えたディスクドライブ装置であって、
前記光ピックアップは、前記ターンテーブル上のディスクに照射する光ビームを出射する対物レンズを保持し、かつ摺動孔が開けられたレンズホルダと、前記摺動孔を挿通する摺動軸を有し、前記レンズホルダを支持するレンズホルダ支持部とを有し、
前記レンズホルダは、前記ディスクのトラックに対して、前記光ビームの焦点が合うようにそのレンズホルダを前記摺動軸に沿って移動させるためのコイルであって、前記摺動孔の回りに巻き回されるように配置されたフォーカスコイルと、そのレンズホルダを前記摺動軸の回りに回動させて前記光ビームの平面上の位置合わせをするために、そのレンズホルダの側部において前記摺動軸に交差する方向の回りに巻き回されたトラッキングコイルと、前記フォーカスコイルを上下から挟むように配置され、前記摺動孔を含むような孔が設けられた一対の板状強磁性体とを備え、
前記レンズホルダ支持部に、平面的に見て前記レンズホルダを挟み、同じ極性の磁極を対向させるように位置する、第１の永久磁石および第２の永久磁石を備え、
前記レンズホルダの摺動孔の側壁が前記レンズホルダ支持部の摺動軸に押し当てられている、ディスクドライブ装置。
【請求項２】
前記第１および第２の永久磁石と、前記摺動軸とは、平面的に見て、直線上に位置し、前記第１の永久磁石と前記摺動軸との間の距離と、前記第２の永久磁石と前記摺動軸との間の距離とが異なる、請求項１に記載のディスクドライブ装置。
【請求項３】
前記第１の永久磁石の磁化性能と前記第２の永久磁石の磁化性能とが相違する、請求項１に記載のディスクドライブ装置。
【請求項４】
前記板状強磁性体は、前記第１および第２の永久磁石によって磁化され、前記摺動軸に交差する方向に生じるように、平面的に見て、前記摺動孔に関して形状が非対称である、請求項１に記載のディスクドライブ装置。
【請求項５】
前記板状強磁性体が、ニッケル板である、請求項１〜４のいずれかに記載のディスクドライブ装置。
【発明の詳細な説明】
【０００１】
【発明の属する技術分野】
本発明は、ディスクドライブ装置に関し、より具体的には、ディスクに照射される光ビームの位置合わせの際にがたつきを生じないディスクドライブ装置に関するものである。
【０００２】
【従来の技術】
コンパクトディスク（ＣＤ）やミニディスク（ＭＤ）等のディスクドライブ装置では、対物レンズを用いてディスク面に光ビームを集光してスポットを形成する。スポットのサイズは小さいほうが、ディスクに対する情報の記録密度を高くすることができるので、スポットサイズを小さくする機構が設けられている。すなわち、光ピックアップからのビームがディスク面に直角に当るようにして、コマ収差を生じないようにする機構が設けられている。
【０００３】
ディスクには情報が記録されたトラックが形成されているが、このトラックの追尾は、周知のように、ターンテーブルの回転によるディスクの回転と、ガイド軸に沿った光ピックアップの移動とによって行われる。ディスクには、反り、偏芯などがあり、それらの影響により、ディスク上の情報の記録位置は上記の方法だけでは正確に追尾することができない。すなわち、予測できない外乱要因によって情報記録箇所がずれて位置する場合にも、その位置を正確に追尾して情報を読み取る調整機構を有する必要がある。
【０００４】
上記の対物レンズは、レンズホルダに固定されている。そのレンズホルダは上記のガイド軸に沿って移動するレンズホルダ支持部に支持されている。レンズホルダには摺動孔が開けられ、また、レンズホルダ支持部には摺動軸が設けられ、摺動孔に摺動軸を貫通させた状態で、レンズホルダはレンズホルダ支持部によって支持される。
【０００５】
従来の装置における上記の調整機構では、レンズホルダを上記の摺動軸の延在する方向に沿って移動させて光ビームのスポットの焦点を合わせ、かつ、レンズホルダをその摺動軸の回りに回転可能として、平面的にトラックの位置合わせをする。すなわち、レンズホルダと、レンズホルダ支持部との間に、フォーカス用の磁気駆動部と、トラッキング用の磁気駆動部とを設け、これらフォーカス用の磁気駆動部と、トラッキング用の磁気駆動部とによって上記調整機構を構成する。通常、レンズホルダの側に、フォーカスコイルおよびトラッキングコイルが搭載され、これらコイルに対峙するレンズホルダ支持部の側に、フォーカス用の永久磁石およびトラッキング用の永久磁石が配置される。
【０００６】
フォーカスコイルに電流を流すことにより、レンズホルダは摺動軸に沿って上下に磁気力によって駆動され、レンズホルダに取り付けられた対物レンズの焦点合わせの調整を行なう。同様に、トラッキングコイルに電流を流すことにより、レンズホルダを摺動軸の回りに磁気力によって回動させ、トラッキング合わせの調整を行なう。上記のような、フォーカシング調整およびトラッキング調整の各機構を備えることにより、外乱要因によって情報記録箇所がずれて位置する場合にも、スポット位置のトラックからのずれに対処して、トラック位置を正確に追尾することができる。
【０００７】
しかし、レンズホルダの摺動孔と、レンズホルダ支持部の摺動軸との間には、所定のクリアランスを設ける必要がある。このクリアランスはレンズホルダの上記調整の移動においてがたつきを生じる。がたつきが生じると情報の質が低下し、情報再生装置としての性能が低下してしまう。このクリアランスに起因するがたつきを防止するために、レンズホルダの摺動孔の側壁を摺動軸に押し付ける側圧付与手段を備える提案がなされた。しかし、高度の加工精度を要したり、摺動軸と摺動孔との摩擦に起因する振動などを生じるなどの問題が指摘された。これらの問題を解決するために、摺動軸と摺動孔との接触位置を特定の位置に維持する提案がなされた（例えば、特許文献１および２参照）。
【０００８】
図９に示すディスクドライブ装置では、対物レンズ１１０が取り付けられたレンズホルダ１０４の中心線Ｌの両端に磁性片１５４を配置する。その磁性片１５４と、磁性片と対峙する永久磁石１５１，１５２との磁気的な力により、レンズホルダ１０４に対して側圧Ｍを発生させる。中心線Ｌが接する摺動孔１４１の縁１４３において摺動軸１０３と摺動孔１４１とを接触させる。この接触点１４３は、レンズホルダ１０４の重心Ｇに一致するようにする。通常時に、接触点１４３において摺動孔と摺動軸とを接触させることにより、この接触点１４３は、またトラッキング用永久磁石１５１，１５２と、トラッキングコイル１５３との間に発生する力に起因する回転駆動力の中心Ｈとしても機能する。このように、接触点を特定の位置に維持することにより、振動などを防止してスムースで高質の調整を行うことができる。
【０００９】
【特許文献１】
特開２０００−２０９８６号公報
【００１０】
【特許文献２】
特開２００２−７４７１１号公報
【００１１】
【発明が解決しようとする課題】
しかしながら、上記のように、摺動軸と摺動孔との接触位置を所定の位置にするためには、レンズホルダの加工精度を高めたり、さらに永久磁石の配置位置の精度を高くする必要がある。このため、簡単な機構により、上記摺動孔と摺動軸とのクリアランスからくるがたつきを防止する機構を有するディスクドライブ装置の開発が望まれていた。
【００１２】
本発明は、上記光ビームの位置合わせの調整においてレンズホルダを移動させる際、簡単な機構により上記のがたつきを防止することができる、ディスクドライブ装置を提供することを目的とする。
【００１３】
【課題を解決するための手段】
本発明のディスクドライブ装置は、シャーシに取り付けられ、ディスクを装着して回転させるターンテーブルと、シャーシに固定されたガイド軸と、ガイド軸に回動自由に取り付けられ、ガイド軸に沿って移動する光ピックアップとを備えたディスクドライブ装置である。このディスクドライブ装置において、光ピックアップは、ターンテーブル上のディスクに照射する光ビームを出射する対物レンズを保持し、かつ摺動孔が開けられたレンズホルダと、摺動孔を挿通する摺動軸を有し、レンズホルダを支持するレンズホルダ支持部とを有する。上記のレンズホルダは、ディスクのトラックに対して、光ビームの焦点が合うようにそのレンズホルダを摺動軸に沿って移動させるためのコイルであって、摺動孔の回りに巻き回されるように配置されたフォーカスコイルと、そのレンズホルダを摺動軸の回りに回動させて前記光ビームの平面上の位置合わせをするために、そのレンズホルダの側部において摺動軸に交差する方向の回りに巻き回されたトラッキングコイルと、フォーカスコイルを上下から挟むように配置され、摺動孔を含むような孔が設けられた一対の板状強磁性体とを備えている。そして、レンズホルダ支持部に、平面的に見てレンズホルダを挟み、同じ極性の磁極を対向するように位置する、第１の永久磁石および第２の永久磁石を備え、上記のレンズホルダの摺動孔の側壁がレンズホルダ支持部の摺動軸に押し当てられている。
【００１４】
上記の構成によれば、２つの永久磁石は同じ極性の磁極を対向させているので、その永久磁石と板状強磁性体とが磁気的に均衡を保つように配置されている限り、摺動孔の側壁が摺動軸に押し当てられることはない。すなわち、側圧は発生しない。このため、フォーカシングやトラッキングに支障をきたすことはない。しかし、磁気的な均衡が破られるように調整することにより、２枚の板状強磁性体は、２つの永久磁石からの磁束密度の強弱に応じて、いずれかの方向に磁化することができる。その結果、レンズホルダはいずれかの方向に磁化され、摺動孔の側壁が摺動軸に押し当てられる。２つの永久磁石および／または２枚の板状強磁性体には、磁気的な均衡をずらすように、形状的、位置的、永久磁石の材料性能的な調整を容易に加えることができる。
【００１５】
上記の構成のなかで、２枚の板状強磁性体はフォーカスコイルを上下から挟むように配置されるため、磁気的均衡を失うように調整したとき、磁力を受ける部分が間隔をおいて２箇所存在することになる。このため、磁力を受ける部分が１箇所のものに比較して、レンズホルダを安定して摺動軸に押し当てることができる。このため、レンズホルダが傾斜することを防止し、またフォーカシングやトラッキングにおける摺動軸に沿うレンズホルダの移動において、振動の発生を抑制することができる。
【００１６】
さらに、フォーカシングコイルを上下から挟むように、板状強磁性体を平面的（水平姿勢）に配置したために、磁気的な均衡を失うように調整したとき、側方からの磁束に対して反磁場の発生を抑制できる。このため、小さな磁化力でがたつきを防止するのに十分な押し当て力を発生させることができる。
【００１７】
上記の第１および第２の永久磁石と、摺動軸とは、平面的に見て、直線上に位置し、第１の永久磁石と摺動軸との間の距離と、第２の永久磁石と摺動軸との間の距離とが異なるようにしてもよい。
【００１８】
この構成によれば、磁気的均衡が失われるようになり、レンズホルダはより近くに位置する永久磁石の側に引き付けられる。このため、摺動孔と摺動軸との間の隙間は、上記引き付けられる側において発生し、摺動軸を挟む反対側においてその側壁を摺動軸に押し当てが実現される。この構成によれば、永久磁石の位置をわずかに変えればよいので、非常に簡単に上記の押し当てを実現することができる。
【００１９】
上記の第１の永久磁石の磁化性能と第２の永久磁石の磁化性能とが相違するようにしてもよい。
【００２０】
この構成によれば、寸法的な事項はほとんど変えずに、２つの永久磁石の磁化力のバランスを失うようにするだけで、上記の押し当てを実現することができる。磁化性能としては、材料的なもの、たとえばＢＨ積の最大値（ＢＨ）ｍａｘや抗磁力Ｈｃなどを用いてもよいし、寸法的なもの、たとえば永久磁石の厚みを用いてもよい。永久磁石の厚みが薄いと、反磁場が大きく発生し、実効的な磁化性能は低下してしまう。
【００２１】
上記の板状強磁性体は、第１および第２の永久磁石によって磁化され、摺動軸に交差する方向に生じるように、平面的に見て、摺動孔に関して形状が非対称であるようにしてもよい。
【００２２】
この構成によっても、磁気的均衡を失い、側圧を発生させるように調整することができる。その非対称の形状に応じて板状強磁性体にかかる応力を、平面的に見て、２つの永久磁石を結ぶ直線の、（ａ１）前側、（ａ２）後側、（ａ３）その直線に沿って一方の永久磁石側、（ａ４）その直線に沿って他方の永久磁石側、などと、任意の方向に設定することができる。この応力の方向に応じて、押し当て位置も変わることは言うまでもない。
【００２３】
また、上記の板状強磁性体が、ニッケル板であってもよい。ニッケルは錆びにくく、入手も容易であり、面心立方構造であるので強加工しやすい。
【００２４】
【発明の実施の形態】
次に図面を用いて、本発明の実施の形態について説明する。
【００２５】
（実施の形態１）
図１および図２は、本発明の実施の形態１におけるディスクドライブ装置を示す平面図である。図１はレンズホルダ４１がレンズホルダ支持部３１に支持された状態を示し、図２は、レンズホルダ４１がレンズホルダ支持部から外された状態であり、レンズホルダ支持部を示す図である。レンズホルダ４１は、図２に示すように、レンズホルダ支持部から完全に離脱できるようにしてもよいし、トラッキングおよびフォーカスにおける運動を許容した上で、フレキシブルな部材により、連結しておいてもよい。
【００２６】
このディスクドライブ装置において、光ピックアップ２はガイド軸４の回りに回動自由であり、かつガイド軸に沿って移動自由となるようにガイド軸に係合している。図１はガイド軸が１本の場合を示すが、ガイド軸が２本のタイプであっても、本発明を適用できることは言うまでもない。光ピックアップ２は、レンズホルダ４１と、そのレンズホルダ４１を支持するレンズホルダ支持部３１とを備えている。摺動軸３２は、レンズホルダ支持部の床面から直立しており、レンズホルダ４１の摺動孔４２を貫通している。
【００２７】
上記の光ピックアップのガイド軸に沿う移動は、ラック２６とピニオン２７とによって駆動される。図示していないディスクは、ターンテーブル３に載置されている。光（レーザ）ビームは、レンズホルダに保持されている対物レンズ４８を通って、その対物レンズの上方に位置する上記ディスクに照射される。このとき、ビームがディスクに垂直入射されるように、次のようなビーム角度調整機構を備える。すなわち、レンズホルダ支持部は、その一端においてガイド軸４に係合し、他端において雄ねじ部材６に取り付けられた鍔部材６ｂが、シャーシの縁１ａを上下から挟むように係合している。雄ねじ部材を操作して、その螺合の程度を変えることにより、レンズホルダの他端におけるシャーシの縁１ａからの距離を変化させることにより、レンズホルダの傾きを変えることができる。
【００２８】
図３は、レンズホルダ４１の摺動孔４２に、摺動軸３２が挿通された状態を示す正面図である。レンズホルダ４１を挟むようにして、同じ極性の磁極を対向させて位置する、第１の永久磁石３３および第２の永久磁石３４は、ともに、摺動軸３２と同様にレンズホルダ支持部３１に固定され、レンズホルダ支持部の床面から直立している。レンズホルダ４１には、その摺動孔４２の回りにその摺動孔を巻き回すようにフォーカスコイル４５が配置されている。フォーカスの調整のためにフォーカスコイル４５に、電流を流すと、フォーカスコイル４５から磁束が発生し、電流の向きにしたがって永久磁石からの磁束と引き合い、また、反発する。すなわち、レンズホルダは、電流の向きに応じて、上下方向に力を受ける。上記の一対の永久磁石は同じ極性の磁極を対向させているので、上記のように、フォーカスコイルに電流を流したときに、上下方向に偏って応力が発生することはない。このため、フォーカシングに支障をきたすことはない。
【００２９】
図４は、レンズホルダ４１の平面図である。レンズホルダ４１の側部の永久磁石の正面位置から外れた位置に、トラッキングコイル４６，４７が設けられている。トラッキングの調整の際に、トラッキングコイル４６，４７に電流を流すと、トラッキングコイルから磁束を発生する。電流の向きに応じて、永久磁石からの磁束と引き合い、または、反発する。この場合も上記一対の永久磁石は同じ極性の磁極を対向させているので、回動方向が一方に偏ることはない。上述したように、第１および第２の永久磁石からの磁束は、上記のフォーカシングおよびトラッキングの駆動に用いられている。
【００３０】
図５は、本発明の実施の形態における永久磁石３３，３４の配置を示す図である。図５において、摺動軸３２と一方の永久磁石３４との距離ｄ１は、摺動軸３２と他方の永久磁石３３との距離ｄ２より短くされている。このため、同じ性能の永久磁石３３，３４を配置した場合には、磁気的均衡が失われ、一方の永久磁石３４の側にレンズホルダ４１は引き付けられる。
【００３１】
本発明における大きな特徴は、図３に示すように、板状強磁性体を水平配置で垂直方向に間隔をおいて２枚配置したことにある。フォーカスコイル４５を上下から挟むように、２枚の板状強磁性体、本実施の形態では２枚のニッケル板が配置されている。板状強磁性体は高い透（導）磁率を有し、磁束を他の空間部分に比して高密度に、その中に引き込み導く作用がある。すなわち、強く磁化され、大きな磁気力を発生する。このため、図５に示すように２つの永久磁石を、磁気的均衡が失われるように配置すると、レンズホルダ４１は、片方の永久磁石の側に引き付けられ、したがって側圧を発生することができる。上記の板状強磁性体は、その板面方向を永久磁石から発する磁束の向きに平行に近くなるように、水平姿勢をしている。このため、薄板の板厚方向に磁化するときに生じる反磁場の発生が抑制され、磁気的均衡を少しずらすことにより、十分磁化することができる。このため、十分大きな水平力（側圧）が、同じ向きに２箇所で発生することになる。
【００３２】
十分大きな水平力が同じ向きに２箇所で発生することにより、レンズホルダの摺動孔の側壁を、摺動軸に安定して押し当てることができる。すなわち、上記の押し当てにおいて、レンズホルダを傾けることなく、また、フォーカスやトラッキングの際の摺動においても、２箇所において押し当て力が発生するので、押し当て位置はスムースに変化する。また、押し当ての不安定性に起因する振動などを発生することはない。
【００３３】
また、ニッケル板は錆びにくく、加工によって磁気特性が劣化しにくい。製造時に加工した後、歪みを除去するために焼鈍等の熱処理をすることが望ましいが、しなくてもよい。また、長期にわたる耐候性を得ることができる。
【００３４】
図５には、ニッケル板が矩形の場合を説明したが、図６に示すような形状であってもよい。
【００３５】
（実施の形態２）
図７は、本発明の実施の形態２におけるレンズホルダとレンズホルダ支持部とを示す平面図である。本実施の形態では、同じ極性の磁極を対向させる２つの永久磁石３３，３４と摺動軸との間の距離ｄ１，ｄ２は同じとして、永久磁石の磁化力が相違するようにする。たとえば、両方の永久磁石の寸法を同じにして、永久磁石材料の性能を変える。性能としては、例えば、（ＢＨ）ｍａｘやＨｃが異なる材料で永久磁石を構成する。また、永久磁石の磁火力の強弱が生じればよいので、一方の永久磁石の厚みを他方の永久磁石の厚みより厚くすることによっても、反磁場を抑制して高い磁化力を発生することができる。
【００３６】
一方の永久磁石の磁化性能を他方より大きくすることにより、磁気的均衡が失われ、その一方の永久磁石の側にレンズホルダ４１を引き付けることができる。しかも、上述したように、ニッケル板を水平姿勢で、垂直方向に間隔をおいて２枚配置することにより、レンズホルダ４１を摺動軸３２に押し当てる力（側圧）を２箇所で大きく発生させることができる。このため、安定して上記押し当て状態を維持して、押し当て位置を変化させながら、フォーカシングおよびトラッキングをすることができる。
【００３７】
（実施の形態３）
図８は、本発明の実施の形態３におけるレンズホルダおよびレンズホルダ支持部を示す図である。本実施の形態では、ニッケル板４３，４４は、摺動軸３２を通る２つの永久磁石３３，３４を結ぶ直線に関して、対称ではない。すなわち、上記２つの永久磁石３３，３４を結ぶ直線の上と下とで、ニッケル板は同じではなく、上側において、永久磁石に近い部分を有する。このように、永久磁石については磁気的均衡を保ちながら、ニッケル板すなわち板状強磁性体の形状を変形することによっても、全体的な磁気的均衡を失わせるように調整でき、側圧を発生することができる。上記の調整により、上側の部分における永久磁石の中心部分に引き込まれるような力が、下側の部分における永久磁石の中心部分に引き込まれる力に打勝ち、レンズホルダ４１は下側に向う力（側圧）を受ける。
【００３８】
上述したように、上記の側圧は２枚のニッケル板４３，４４において発生する。このため、レンズホルダ４１を摺動軸３２に押し当てた状態を維持し、かつその押し当て位置が変化しても、安定してフォーカシングやトラッキングをスムースに行うことができる。
【００３９】
上記において、本発明の実施の形態について説明を行なったが、上記に開示された本発明の実施の形態は、あくまで例示であって、本発明の範囲はこれら発明の実施の形態に限定されない。本発明の範囲は、特許請求の範囲の記載によって示され、さらに特許請求の範囲の記載と均等の意味および範囲内でのすべての変更を含むものである。
【００４０】
【発明の効果】
本発明の光ディスクドライブ装置を用いることにより、簡単な機構により、レンズホルダを摺動軸に安定して押し当てることができ、押し当て状態を維持したまま、フォーカシングおよびトラッキングを行うことができる。このため、フォーカシングやトラッキングに際して、がたつきを生じたり、傾きや振動を生じることがなくなる。
【図面の簡単な説明】
【図１】本発明の実施の形態１におけるディスクドライブ装置を示す平面図である。
【図２】図１のディスクドライブ装置において、レンズホルダをレンズホルダ支持部から外した後のレンズホルダ支持部を示す図である。
【図３】図１のディスクドライブ装置における光ピックアップの正面図である。
【図４】図１のディスクドライブ装置における光ピックアップの平面図である。
【図５】図１の光ピックアップにおいて、摺動軸と永久磁石との間の距離を説明する図である。
【図６】図５の光ピックアップの変形例である。
【図７】本発明の実施の形態２における光ピックアップを説明する平面図である。
【図８】本発明の実施の形態３における光ピックアップを説明する平面図である。
【図９】従来の光ピックアップを説明する平面図である。
【符号の説明】
１  シャーシ、１ａ  シャーシの縁、２  光ピックアップ、３  ターンテーブル、４  ガイド軸、６  雄ねじ部材、６ｂ  鍔係合部、２６  ラック、２７  ピニオン、３１  レンズホルダ支持部、３２  摺動軸、３３，３４  永久磁石、４１  レンズホルダ、４２  摺動孔、４３，４４  板状強磁性体（ニッケル板）、４５  フォーカスコイル、４６，４７  トラッキングコイル、４８  対物レンズ、ｄ１，ｄ２    摺動軸と永久磁石との距離。
【図１】
2004164732.tif 000003
【図２】
2004164732.tif 000004
【図３】
2004164732.tif 000005
【図４】
2004164732.tif 000006
【図５】
2004164732.tif 000007
【図６】
2004164732.tif 000008
【図７】
2004164732.tif 000009
【図８】
2004164732.tif 000010
【図９】
2004164732.tif 000011